(57)【要約】  【課題】  一の番組の視聴中に他の番組の録画が開始されたことを、従来の録画装置に比べて、より明瞭に報知する。  【解決手段】  複数の映像を並行して取得する取得手段と、該取得手段が取得した映像をハードディスク１５ａに記録する第１記録再生部１４ａと、映像の録画の予約を受け付ける予約受付手段とを備える録画装置に、前記取得手段による一の映像の取得中に、前記予約受付手段が受け付けた予約に基づいて、第１記録再生部１４ａが他の映像を録画する場合、前記他の映像を縮小した映像を生成する小画像生成部５ｄと、前記一の映像に小画像生成部５ｄが生成した映像をＯＳＤ表示するＯＳＤ表示処理部６とを備える。【選択図】        図１
2007049628.tif 000002
【特許請求の範囲】
【請求項１】
複数の映像を並行して取得する取得手段と、該取得手段が取得した映像を録画する録画手段と、該録画手段による映像の録画の予約を受け付ける予約受付手段とを備える録画装置において、
前記取得手段による一の映像の取得中に、前記予約受付手段が受け付けた予約に基づいて、前記録画手段が他の映像を録画する場合、前記一の映像及び前記他の映像を含む映像を生成する生成手段と、
該生成手段が生成した映像を出力する手段と
を備えることを特徴とする録画装置。
【請求項２】
複数の映像を並行して取得する取得手段と、該取得手段が取得した映像を録画する録画手段と、該録画手段による映像の録画の予約を受け付ける予約受付手段とを備える録画装置において、
前記取得手段による一の映像の取得中に、前記予約受付手段が受け付けた予約に基づいて、前記録画手段が他の映像を録画する場合、該他の映像の録画を開始する旨を表示する表示手段を備える
ことを特徴とする録画装置。
【請求項３】
複数の映像を並行して取得する取得手段と、該取得手段が取得した映像を録画する録画手段と、該録画手段による映像の録画の予約を受け付ける予約受付手段と、録画に関する情報を表示する表示パネルとを備える録画装置において、
前記取得手段による一の映像の取得中に、前記予約受付手段が受け付けた予約に基づいて、前記録画手段が他の映像を録画する場合、前記表示パネルの明暗を逆にする手段を備える
ことを特徴とする録画装置。
【請求項４】
前記録画手段は、
映像を複数種類の記録媒体に録画する手段を備え、
前記録画手段が映像の録画を開始する場合、該映像が録画される記録媒体の種類を示す情報を表示する手段を備える
ことを特徴とする請求項１乃至請求項３のいずれか一つに記載の録画装置。
【請求項５】
前記録画手段が前記他の映像の録画を開始する場合、録画の開始を報知する光を発する発光部を備える
ことを特徴とする請求項１乃至請求項４のいずれか一つに記載の録画装置。
【請求項６】
前記予約受付手段は、
重複した時間帯で前記取得手段が取得する一の映像及び他の映像の録画の予約を夫々受け付ける手段を備え、
前記録画手段は、
前記予約受付手段が受け付けた予約に基づいて、前記一の映像及び前記他の映像夫々を並行して録画する手段を備える
ことを特徴とする請求項１乃至請求項５のいずれか一つに記載の録画装置。
【発明の詳細な説明】
【技術分野】
【０００１】
本発明は、複数の映像を並行して取得し、取得した映像を録画する録画装置に関する。
【背景技術】
【０００２】
２つのチューナを搭載していて、各チューナで受信した複数の映像をハードディスクレコーダに録画し、受信した一の映像を外部の表示装置へ出力するハードディスクレコーダが実用化されている。
また、ハードディスクレコーダは、予め設定された録画開始時刻から、予約された番組の録画を開始する予約録画機能を有している。
【０００３】
このように構成されるハードディスクレコーダにおいては、一の番組の映像を外部の表示装置に表示しながら、他の番組の映像を録画することができる。
【特許文献１】特開平５−２９８８６８号公報
【発明の開示】
【発明が解決しようとする課題】
【０００４】
しかしながら、従来のハードディスクレコーダにおいては、一の映像が表示装置に表示されているときに、他の映像の録画が開始された場合、「録画」の表示がハードディスクレコーダの表示パネルに小さく表示されるものの、他の映像の録画が開始された旨を報知しないため、使用者は、他の映像の録画が開始されたことに気付かず、他の番組の放送開始時刻に録画が開始されたことを確認し忘れる虞があった。
【０００５】
本発明は、斯かる事情に鑑みてなされたものであり、その目的は、一の映像の取得中に他の映像の録画を開始した場合、一の映像及び他の映像を含む映像を生成し、生成した映像を出力するように構成することにより、他の映像の録画が開始されたことを、一の映像と共に出力される他の映像によって、視聴者に報知することができる録画装置を提供することにある。
【０００６】
また、本発明の他の目的は、一の映像の取得中に他の映像の録画を開始した場合、他の映像の録画を開始する旨を表示するように構成することにより、他の映像の録画が開始されたことを、録画を開始する旨の表示によって、視聴者に報知することができる録画装置を提供することにある。
【０００７】
更に、本発明の他の目的は、一の映像の取得中に他の映像の録画を開始した場合、表示パネルの表示の明暗を逆に変更するように構成することにより、他の映像の録画が開始されたことを、表示の明暗の反転によって、視聴者に報知することができる録画装置を提供することにある。
【０００８】
更にまた、本発明の他の目的は、映像を複数種類の記録媒体のいずれかに記録し、記録対象の記録媒体の種類を表示するように構成することにより、一の映像の視聴中に他の映像の録画が開始されたことを報知するとともに記録先の記録媒体の種類を表示することができる録画装置を提供することにある。
【０００９】
更にまた、本発明の他の目的は、一の映像の取得中に他の映像の録画を開始した場合、録画の開始を報知する光を発する発光部を備えることにより、一の映像の視聴中に他の映像の録画が開始されたことを、発光部の発光によって、視聴者に報知することができる録画装置を提供することにある。
【００１０】
更にまた、本発明の他の目的は、重複した時間帯に放送される複数の映像の録画予約を受け付け、複数の映像を並行して録画するように構成することにより、一の映像の録画中に他の映像の録画が開始されたことを、視聴者に報知することができる録画装置を提供することにある。
【課題を解決するための手段】
【００１１】
本発明に係る録画装置は、複数の映像を並行して取得する取得手段と、該取得手段が取得した映像を録画する録画手段と、該録画手段による映像の録画の予約を受け付ける予約受付手段とを備える録画装置において、前記取得手段による一の映像の取得中に、前記予約受付手段が受け付けた予約に基づいて、前記録画手段が他の映像を録画する場合、前記一の映像及び前記他の映像を含む映像を生成する生成手段と、該生成手段が生成した映像を出力する手段とを備えることを特徴とする。
【００１２】
本発明にあっては、一の映像と、録画手段が録画する他の映像とを含む映像が生成されて出力されるため、録画されている他の映像が一の映像とともに出力される。
従って、視聴者は、他の映像によって、一の映像を視聴しながら、録画が開始された他の映像の内容を確認することができる。
【００１３】
本発明に係る録画装置は、複数の映像を並行して取得する取得手段と、該取得手段が取得した映像を録画する録画手段と、該録画手段による映像の録画の予約を受け付ける予約受付手段とを備える録画装置において、前記取得手段による一の映像の取得中に、前記予約受付手段が受け付けた予約に基づいて、前記録画手段が他の映像を録画する場合、該他の映像の録画を開始する旨を表示する表示手段を備えることを特徴とする。
【００１４】
本発明にあっては、一の映像の取得中に、他の映像の録画が開始されたとき、他の映像の録画が開始された旨を、表示手段が表示する。
例えば、表示手段は、「裏録が開始されました」のように、録画が開始された旨を表示する。
【００１５】
本発明に係る録画装置は、複数の映像を並行して取得する取得手段と、該取得手段が取得した映像を録画する録画手段と、該録画手段による映像の録画の予約を受け付ける予約受付手段と、録画に関する情報を表示する表示パネルとを備える録画装置において、前記取得手段による一の映像の取得中に、前記予約受付手段が受け付けた予約に基づいて、前記録画手段が他の映像を録画する場合、前記表示パネルの明暗を逆にする手段を備えることを特徴とする。
【００１６】
本発明にあっては、一の映像の取得中に、他の映像の録画が開始されたとき、録画に関する情報を表示している表示パネルの明暗を逆にする。
【００１７】
本発明に係る録画装置は、前記録画手段が、映像を複数種類の記録媒体に録画する手段を備え、前記録画手段が映像の録画を開始する場合、該映像が録画される記録媒体の種類を示す情報を表示する手段を備えることを特徴とする。
【００１８】
本発明にあっては、表示手段は、他の映像を記録する記録先の記録媒体の種類を表示する。
【００１９】
本発明に係る録画装置は、前記録画手段が前記他の映像の録画を開始する場合、録画の開始を報知する光を発する発光部を備えることを特徴とする。
【００２０】
本発明にあっては、一の映像の取得中に、他の映像の録画が開始されたとき、発光部が発光する。
【００２１】
本発明に係る録画装置は、前記予約受付手段が、重複した時間帯で前記取得手段が取得する一の映像及び他の映像の録画の予約を夫々受け付ける手段を備え、前記録画手段は、前記予約受付手段が受け付けた予約に基づいて、前記一の映像及び前記他の映像夫々を並行して録画する手段を備えることを特徴とする。
【００２２】
本発明にあっては、一の映像の録画中に、他の映像の録画が開始されたとき、他の映像の録画が開始されたことを上述の生成した映像、録画が開始された旨の表示、表示の明暗の反転、又は発光部の発光によって報知する。
【発明の効果】
【００２３】
本発明によれば、一の映像の視聴者に他の映像の録画が開始されたことを一の映像と共に出力された他の映像によって報知することができる。
【００２４】
本発明によれば、一の映像の視聴者に他の映像の録画が開始されたことを、他の映像の録画を開始する旨の表示によって報知することができる。
【００２５】
本発明によれば、一の映像の視聴者に他の映像の録画が開始されたことを表示パネルの明暗の変化によって報知することができる。
【００２６】
本発明によれば、一の映像の視聴者に他の映像の録画が開始されたことを報知し、また記録先の記録媒体の種類を表示することができる。
【００２７】
本発明によれば、一の映像の視聴者に他の映像の録画が開始されたことを、発光部の発光によって報知することができる。
【００２８】
本発明によれば、一の映像の録画中に他の映像の録画が開始されたことを、上述の生成した映像、録画が開始された旨の表示、表示の明暗、又は発光部の発光のいずれかによって報知することができる。
【発明を実施するための最良の形態】
【００２９】
図１は、本発明の実施の形態に係るハードディスクレコーダである。実施の形態に係るハードディスクレコーダは、外部の表示装置へ出力している番組と異なる他の番組の録画を開始するとき、表示装置へ出力する番組の映像に、録画する他の番組の映像を合成するように構成してある。
【００３０】
図中１ａ，１ｂは、アンテナＡで受信したＲＦ信号を増幅し、選択されたチャンネルの信号を検波する第１デジタルチューナ及び第２デジタルチューナであり、第１及び第２デジタルチューナ１ａ，１ｂは、検波した信号をデジタルのデータにＡＤ変換し、ＡＤ変換したデータを夫々第１復調部２ａ及び第２復調部２ｂに与える。検波するチャンネルは、制御部９から与えられる信号によって設定される。
【００３１】
第１及び第２デジタルチューナ１ａ，１ｂから出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されており、第１及び第２復調部２ａ，２ｂは、前記データを、ＭＰＥＧ２ＴＳ（ＭＰＥＧ２Ｔｒａｎｓｐｏｒｔ  Ｓｔｒｅａｍ）形式のトランスポートストリームに復調し、復調したトランスポートストリームを切替部８に与える。
また、第１復調部２ａは、復調したトランスポートストリームを第１選択部１２ａに与え、第２復調部２ｂは、復調したトランスポートストリームを第２選択部１２ｂに与える。
【００３２】
切替部８は、第１及び第２復調部２ａ，２ｂから与えられた一のトランスポートストリームを第１デマルチプレクサ３ａへ出力し、他のトランスポートストリームを第２デマルチプレクサ３ｂへ出力する。
切替部８は、制御部９から切替信号を受けた場合、前記一のトランスポートストリームの出力先を第１デマルチプレクサ３ａから第２デマルチプレクサ３ｂへ切り替え、前記他のトランスポートストリームの出力先を第２デマルチプレクサ３ｂから第１デマルチプレクサ３ａに切り替える。
【００３３】
トランスポートストリームは、複数のＴＳパケットから構成されていて、複数のＴＳパケットから、ビデオストリーム及び音声ストリームが復元される。
【００３４】
第１デマルチプレクサ３ａは、トランスポートストリームから一の番組のビデオストリーム及び音声ストリームに係るＴＳパケットを選択し、選択したＴＳパケットからなるビデオストリーム及び音声ストリームを、夫々ビデオバッファ４ａ及び音声バッファ４ｂに与える。
また、第１デマルチプレクサ３ａは、トランスポートストリームに含まれる番組配列情報（ＳＩ：Ｓｅｒｖｉｃｅ  Ｉｎｆｏｒｍａｔｉｏｎ）を選択し、選択した番組配列情報をＥＰＧ（Ｅｌｅｃｔｒｏｎｉｃ  Ｐｒｏｇｒａｍ  Ｇｕｉｄｅ）デコーダ５ｃに与える。番組配列情報は、放送される番組のタイトル、チャンネル、放送開始時刻、及び放送終了時刻、並びに映画、ドラマ等の番組の属するジャンル等の情報を有している。
【００３５】
ＥＰＧデコーダ５ｃは、第１デマルチプレクサ３ａから与えられた番組配列情報に基づいて、番組表の画像データを生成し、生成した番組表の画像データをＯＳＤ（Ｏｎ  Ｓｃｒｅｅｎ  Ｄｉｓｐｌａｙ）表示処理部６に与える。ＥＰＧデコーダ５ｃ及びＯＳＤ表示処理部６による番組表のＯＳＤ表示は、制御部９によって制御される。
【００３６】
第２デマルチプレクサ３ｂは、トランスポートストリームから他の番組のビデオストリームに係るＴＳパケットを選択し、選択したＴＳパケットからなるビデオストリームを小画像生成部５ｄに与える。
【００３７】
小画像生成部５ｄは、第２デマルチプレクサ３ｂから与えられたビデオストリームの映像を縮小し、縮小した映像のビデオストリームをＯＳＤ表示処理部６に与える。
【００３８】
ビデオバッファ４ａ及び音声バッファ４ｂは、第１デマルチプレクサ３ａから与えられたビデオストリーム及び音声ストリームを夫々所定のタイミングでビデオデコーダ５ａ及び音声デコーダ５ｂに出力する。
【００３９】
ビデオデコーダ５ａは、ビデオバッファ４ａから与えらたビデオストリームを、ＭＰＥＧ２形式の圧縮伸張方式に従って復調し、復調したビデオストリームをＯＳＤ表示処理部６に与える。
【００４０】
ＯＳＤ表示処理部６は、ビデオデコーダ５ａから出力されたビデオストリームの映像に、小画像生成部５ｄから出力されたビデオストリームの映像を合成し、合成した映像のビデオストリームを、所定のタイミングでビデオ信号出力部７ａに与える。また、ＯＳＤ表示処理部６は、ビデオデコーダ５ａから出力されたビデオストリームの映像に、ＥＰＧデコーダ５ｃ又は制御部９から与えられたデータの映像を合成したビデオストリームを生成し、生成したビデオストリームを、所定のタイミングでビデオ信号出力部７ａに与える。
【００４１】
音声デコーダ５ｂは、音声バッファ４ｂから与えられた音声ストリームを、ＭＰＥＧ２ＡＡＣ（Ａｄｖａｎｃｅｄ  Ａｕｄｉｏ  Ｃｏｄｉｎｇ）の圧縮伸張方式に従って復調し、復調した音声ストリームを、所定のタイミングで音声信号出力部７ｂに与える。
【００４２】
ビデオ信号出力部７ａ及び音声信号出力部７ｂは、ＯＳＤ表示処理部６及び音声デコーダ５ｂから与えられたビデオストリーム及び音声ストリームを、アナログのビデオ信号及び音声信号にＤＡ変換し、ＤＡ変換したビデオ信号及び音声信号を外部の図示しない表示装置及びスピーカに出力する。
【００４３】
第１選択部１２ａは、第１復調部２ａから与えられたトランスポートストリームから、選択されたチャンネルのＴＳパケットを選択し、選択したＴＳパケットをバッファメモリ１３に与える。
一のチャンネルから得られるトランスポートストリームには、１乃至３番組のＴＳパケットが多重化されており、選択部は、多重化されたＴＳパケットの中から指定された一の番組のＴＳパケットを選択して、バッファメモリ１３に与える。番組の指定は、制御部９が行う。
【００４４】
同様に、第２選択部１２ｂは、第２復調部２ｂから与えられたトランスポートストリームから、選択された他の番組のＴＳパケットを選択し、選択したＴＳパケットをバッファメモリ１３に与える。
【００４５】
バッファメモリ１３は、第１及び第２選択部１２ａ，１２ｂで選択されたＴＳパケットを夫々記憶し、順次第１記録再生部１４ａ又は第２記録再生部１４ｂに与える。
【００４６】
第１記録再生部１４ａは、制御部９から与えられる信号に応じて、バッファメモリ１３から与えられたＴＳパケットを所定のデータ形式に変調し、変調したデータをハードディスク１５ａに記録する。また、第１記録再生部１４ａは、ハードディスク１５ａに記録されたデータを読み出し、読み出したデータをＴＳパケットのデータに復調し、バッファメモリ１３を介して第１デマルチプレクサ３ａに与える。
【００４７】
同様に、第２記録再生部１４ｂは、制御部９から与えられる信号に応じて、バッファメモリ１３から与えられたＴＳパケットを所定のデータ形式に変調し、変調したデータをＤＶＤ１５ｂに記録する。また、第２記録再生部１４ｂは、ＤＶＤ１５ｂに記録されたデータを読み出し、読み出したデータをＴＳパケットのデータに復調し、バッファメモリ１３を介して第１デマルチプレクサ３ａに与える。
【００４８】
制御部９には、データの記録、再生、削除に関する情報を表示する液晶パネルからなる表示パネル１０、警告用の発光ダイオード１８、及びタイマー機能を有する時計部１１が設けられている。
【００４９】
また、制御部９には、録画の予約に関する情報を管理する予約管理部１９が設けられている。
予約管理部１９は、録画する番組のチャンネル、番組の記録開始日時、記録終了日時、番組を受信するチューナの別を録画予約情報として記憶し、時計部１１が番組の記録開始日時を計時したとき、記録開始の信号を制御部９に与える。同様に、時計部１１が番組の記録終了日時を計時したとき、記録終了の信号を制御部９に与える。
制御部９は、予約管理部１９から記録開始及び記録終了の信号が出力された場合、予約管理部１９が管理している録画予約情報に基づいて、記録を開始及び停止する。
【００５０】
更に、制御部９には、フォトダイオードからなり、遠隔操作装置１７から送信される赤外光の信号を受信する受信部１６が設けられている。
【００５１】
図２は、遠隔操作装置１７のブロック図である。遠隔操作装置１７は、略直方体の筐体を備え、番組表ボタン１７ｂ、十字キー１７ｃ、決定ボタン１７ｄ、キャンセルボタン１７ｅ、出力する番組を切り替える切替ボタン１７ｆ、タイトル表示ボタン１７ｇ、再生ボタン１７ｈ、停止ボタン１７ｉ、ＨＤＤボタン１７ｊ、ＤＶＤボタン１７ｋ等が筐体の正面に配設されている。筐体の前面側には、各ボタンが操作された場合、操作されたボタンの信号を赤外光で送信する発光ダイオードを備えた送信部１７ａが設けられている。
【００５２】
遠隔操作装置１７の切替ボタン１７ｆが操作され、切替ボタン１７ｆの信号を受信した場合、制御部９は、切替部８へ切替信号を与える。切替信号を受けた切替部８は、第１デマルチプレクサ３ａに与えるビデオストリームを、第１デジタルチューナ１ａ又は第２デジタルチューナ１ｂが選局した映像のビデオストリームのいずれかに切り替える。
【００５３】
図３は、番組の予約受付に係る制御部９の処理手順を示すフローチャートである。
【００５４】
制御部９は、番組表ボタン１７ｂの信号を受信した場合、第１デマルチプレクサ３ａから出力される番組配列情報をＥＰＧデコーダ５ｃに取得させる（ステップＳ１）。
【００５５】
そして、制御部９は、番組配列情報に基づいて、番組表の画像をＥＰＧデコーダ５ｃに生成させ、ＯＳＤ表示処理部６に、番組表の画像を番組の映像にＯＳＤ表示させる（ステップＳ２）。
番組表は、番組のチャンネル毎に、放送される番組のタイトル、番組の放送開始日時、放送終了日時を表示した表である。
【００５６】
次いで、制御部９は、番組の録画予約、つまり番組のタイトル名、チャンネル、記録開始日時、記録終了日時を受け付ける（ステップＳ３）。
具体的には、制御部９は、ＯＳＤ表示処理部６に、番組を選択するためのカーソルを番組表上にＯＳＤ表示させ、十字キー１７ｃの信号を受信した場合、カーソルを上下左右に移動させる。カーソルが移動することで、チャンネル及び放送日時の異なる番組がカーソルで選択される。
そして、決定ボタン１７ｄの信号を受信した場合、制御部９は、カーソルで選択されている番組のタイトル名、チャンネル、記録開始日時、記録終了日時等を番組配列情報から特定し、特定したタイトル名等をＯＳＤ表示処理部６にＯＳＤ表示させる。また、制御部９は、記録先の記録媒体として初期設定されているハードディスク１５ａをＯＳＤ表示処理部６に表示させる。
【００５７】
そして、制御部９は、記録媒体の選択を受け付ける（ステップＳ４）。
具体的には、制御部９は、十字キー１７ｃの信号を受信した場合、記録先の記録媒体をハードディスク１５ａ又はＤＶＤ１５ｂのいずれかに変更し、変更後の記録先の記録媒体を、ＯＳＤ表示処理部６にＯＳＤ表示させる。
【００５８】
そして、制御部９は、キャンセルボタン１７ｅの信号を受信したか否かを判定する（ステップＳ５）。キャンセルボタン１７ｅの信号を受信したと判定した場合（ステップＳ５：ＹＥＳ）、制御部９は、処理を終了する。
【００５９】
キャンセルボタン１７ｅの信号を受信していないと判定した場合（ステップＳ５：ＮＯ）、制御部９は、決定ボタン１７ｄの信号を受信したか否かを判定する（ステップＳ６）。
【００６０】
決定ボタン１７ｄの信号を受信していないと判定した場合（ステップＳ６：ＮＯ）、制御部９は、処理をステップＳ２に戻す。
【００６１】
決定ボタン１７ｄの信号を受信したと判定した場合（ステップＳ６：ＹＥＳ）、制御部９は、予約管理部１９が記憶している録画予約情報を取得し、カーソルで選択されている番組を録画するための第１チューナ又は第２チューナが空いているか否かを判定する（ステップＳ７）。
つまり、制御部９は、カーソルで選択されている番組と同時刻に放送される他の番組の録画が予約されている場合に、同時録画するための第１チューナ又は第２チューナが存在するか否かを判定する。
【００６２】
第１チューナ又は第２チューナのいずれかが空いている判定した場合（ステップＳ７：ＹＥＳ）、制御部９は、タイトル名、チャンネル、記録開始日時、記録終了日時、記録先の記録媒体、番組を受信する第１チューナ又は第２チューナの別の情報を含む録画予約情報を予約管理部１９に記憶させ（ステップＳ８）、処理を終了する。
【００６３】
第１チューナ及び第２チューナのいずれもが空いていないと判定した場合（ステップＳ７：ＮＯ）、制御部９は、処理をステップＳ２に戻す。
【００６４】
図４は、録画に係る制御部９の処理手順を示すフローチャートである。
【００６５】
予約管理部１９から記録開始の信号を受けた場合、制御部９は、時計部１１に計時を開始させる（ステップＳ１１）。
【００６６】
次いで、制御部９は、録画予約情報を読み出し（ステップＳ１２）、予約された番組のチャンネルの選択を指示する制御信号を、第１チューナ又は第２チューナのいずれかと、予約された番組を受信する第１チューナ又は第２チューナに対応した第１選択部１２ａ又は第２選択部１２ｂに与える（ステップＳ１３）。
【００６７】
そして、制御部９は、第１選択部１２ａ又は第２選択部１２ｂで選択され、各種データ処理された番組のデータを第１記録再生部１４ａ又は第２記録再生部１４ｂに記録させる（ステップＳ１４）。
記録先の記録媒体は、ステップＳ１２で制御部９が読み出した録画予約情報に基づいて判断する。
【００６８】
次いで、制御部９は、時計部１１の計時時間が所定時間を経過したか否かを判定する（ステップＳ１５）。
【００６９】
時計部１１の計時時間が所定時間を経過していないと判定した場合（ステップＳ１５：ＮＯ）、制御部９は、録画が開始された映像のビデオ信号を外部へ出力しているか否かを判定する（ステップＳ１６）。
つまり、制御部９は、第１デマルチプレクサ３ａで選択されている番組と、第１又は第２選択部１２ａ，１２ｂで選択されて第１又は第２記録再生部１４ａ，１４ｂで記録が開始される番組とが同一であるか否かを判定する。
第１及び第２記録再生部１４ａ，１４ｂが映像のデータを並行して記録している状態においては、制御部９は、録画予約情報に基づいて、録画が開始された番組の映像を特定する。
【００７０】
録画が開始された映像のビデオ信号を外部へ出力していないと判定した場合（ステップＳ１６：ＮＯ）、制御部９は、ＯＳＤ表示処理部６は、出力される映像に録画される番組の映像の小画像を嵌め込むようにしてＯＳＤ表示させる（ステップＳ１７）。つまり、出力される映像に、録画される番組の映像をピクチャーインピクチャー表示させる。
【００７１】
図５は、一の番組の映像に、録画される他の番組の映像の小画像が合成された映像を示す模式図である。
図５に示すように、外部の表示装置には、外部へ出力されたビデオ信号に係る一の映像２０が表示され、一の映像２０の右上部分には、録画が開始された他の映像２１が合成される。
【００７２】
そして、制御部９は、発光ダイオード１８を点灯させ（ステップＳ１８）、録画が開始された旨を表示パネル１０に表示する（ステップＳ１９）。
図６は、録画開始の旨が表示された表示パネル１０を示す模式図である。表示パネル１０は、ハードディスクレコーダの正面側に配されていて、表示パネル１０には、例えば、「裏録が開始されました」のようなメッセージが表示される。
また、制御部９は、予約管理部１９が記憶している録画予約情報に基づいて、データの記録先の記録媒体を特定し、特定した記録媒体の種類を表示パネル１０に表示させる（ステップＳ２０）。
【００７３】
そして、制御部９は、表示パネル１０の明暗を反転させる（ステップＳ２１）。つまり、表示パネル１０の表示をネガポジ反転させる。
より具体的には、制御部９は、表示パネル１０の一のドットが点灯している場合、該一のドットを消灯し、一のドットが消灯している場合、該一のドットを点灯させるように、表示パネル１０の表示を制御する。
図６（ａ）に示すように、文字が暗部、背景が明部の状態で、表示パネル１０の明暗が逆になった場合、図６（ｂ）に示すように文字が明部、背景が暗部の状態になる。
【００７４】
ステップＳ２１の処理を終えた場合、ステップＳ１５で時計部１１の計時時間が所定時間を経過していると判定した場合（ステップＳ１５：ＹＥＳ）、又はステップＳ１６で録画が開始された映像のビデオ信号を外部へ出力していると判定した場合（ステップＳ１６：ＹＥＳ）、制御部９は、他の録画開始の信号を受信したか否かを判定する（ステップＳ２２）。
【００７５】
他の録画開始の信号を受信したと判定した場合（ステップＳ２２：ＹＥＳ）、制御部９は、処理をステップＳ１１に戻す。
【００７６】
録画開始の信号を受信していないと判定した場合（ステップＳ２２：ＮＯ）、制御部９は、録画終了の信号を受信したか否かを判定する（ステップＳ２３）。
【００７７】
録画終了の信号を受信していないと判定した場合（ステップＳ２３：ＮＯ）、制御部９は、処理をステップＳ１４に戻す。
【００７８】
録画終了の信号を受信したと判定した場合（ステップＳ２３：ＹＥＳ）、制御部９は、予約管理部１９の情報に基づいて、予約された番組の全ての録画を終了したか否かを判定する（ステップＳ２４）。
【００７９】
全ての録画を終了したと判定した場合（ステップＳ２４：ＹＥＳ）、制御部９は、処理を終える。
全ての録画を終了していないと判定した場合（ステップＳ２４：ＮＯ）、制御部９は、処理をステップＳ１４に戻す。
【００８０】
このように構成されるハードディスクレコーダにあっては、一の映像２０が外部の表示装置へ出力されて表示されている状態で、他の映像２１の録画が開始されたとき、一の映像２０に他の映像２１が縮小されてピクチャーインピクチャー表示される。そして、他の映像２１が合成された一の映像２０が表示装置に表示される。
従って、一の映像２０の視聴者は、他の映像２１の録画が開始されたことを確認し、更に一の映像２０を視聴しながら、録画が開始された他の映像２１の内容を確認することができる。
【００８１】
また、一の映像２０が表示装置へ出力されている状態で、他の映像２１の録画が開始されたとき、表示パネル１０に、他の映像２１の録画が開始された旨が表示され、発光ダイオード１８が点灯するため、一の映像２０の視聴者は、他の映像２１の録画が開始されたことを確認することができる。
【００８２】
更に、他の映像２１の録画が開始されたとき、所定時間の間、表示パネル１０の明暗が反転するため、表示パネル１０の表示が静的である場合に比べて、視聴者の注意を引き、より確実に他の映像２１の録画が開始されたことを前記視聴者に報知することができる。
【００８３】
更にまた、一の映像２０の録画中に他の映像２１の録画が開始された場合も同様にして、一の映像２０に他の映像２１がピクチャーインピクチャー表示されるため、一の映像２０の視聴者は、他の映像２１の録画が開始されたことを確認することができる。
【００８４】
なお、実施の形態にあっては、番組表から映像の録画の予約を受け付ける構成を説明したが、これに限らず、テンキーによって番組のチャンネル、録画開始日時、録画終了日時を直接受け付けるように構成しても良い。
【００８５】
また、デジタルチューナによって番組のデータを受信するハードディスクレコーダを説明したが、アナログチューナで番組のデータを受信し、また外部のチューナで受信した番組のデータを取得するように構成しても良い。
【００８６】
更に、警告用の発光部が発光ダイオードで構成されているが、光を発する他の素子で構成しても良い。
【００８７】
更にまた、前記一の映像を他の映像の一部に合成した映像を生成する生成手段と、他の映像の表示位置の変更を受け付ける受付手段とを録画装置に備え、前記受付手段が変更を受け付けた場合、前記生成手段が前記一の映像に対して前記他の映像を合成する位置を変更するように構成しても良い。
この場合、他の映像の合成位置を適宜変更することができるため、使用者は、他の映像によって一の映像が見えなくなる部分を変更することができる。
【図面の簡単な説明】
【００８８】
【図１】本発明の実施の形態に係るハードディスクレコーダである。
【図２】遠隔操作装置のブロック図である。
【図３】番組の予約受付に係る制御部の処理手順を示すフローチャートである。
【図４】録画に係る制御部の処理手順を示すフローチャートである。
【図５】一の番組の映像に、録画される他の番組の映像の小画像が合成された映像を示す模式図である。
【図６】録画開始の旨が表示された表示パネルを示す模式図である。
【符号の説明】
【００８９】
１ａ  第１デジタルチューナ
１ｂ  第２デジタルチューナ
２ａ  第１復調部
２ｂ  第２復調部
３ａ  第１デマルチプレクサ
３ｂ  第２デマルチプレクサ
４ａ  ビデオバッファ
４ｂ  音声バッファ
５ａ  ビデオデコーダ
５ｂ  音声デコーダ
５ｃ  ＥＰＧデコーダ
５ｄ  小画像生成部
６  ＯＳＤ表示処理部
７ａ  ビデオ信号出力部
７ｂ  音声信号出力部
８  切替部
９  制御部
１０  表示パネル
１１  時計部
１２ａ  第１選択部
１２ｂ  第２選択部
１３  バッファメモリ
１４ａ  第１記録再生部
１４ｂ  第２記録再生部
１５ａ  ハードディスク
１５ｂ  ＤＶＤ
１６  受信部
１７  遠隔操作装置
１７ａ  送信部
１７ｂ  番組表ボタン
１７ｃ  十字キー
１７ｄ  決定ボタン
１７ｅ  キャンセルボタン
１７ｆ  切替ボタン
１７ｇ  タイトル表示ボタン
１７ｈ  再生ボタン
１７ｉ  停止ボタン
１７ｊ  ＨＤＤボタン
１７ｋ  ＤＶＤボタン
１８  発光ダイオード
１９  予約管理部
【図１】
2007049628.tif 000003
【図２】
2007049628.tif 000004
【図３】
2007049628.tif 000005
【図４】
2007049628.tif 000006
【図５】
2007049628.tif 000007
【図６】
2007049628.tif 000008